(57)【要約】【課題】許可された者のみの使用を簡易に、且つ確実に行うことが可能なシュレッダーを提供する。【解決手段】本発明は、カッターと、指紋を読み取る指紋読取部８１と、指紋データを登録する登録部８４と、指紋読取部８１で読み取られた指紋データを、登録部８４に登録された指紋データと比較する認証部８３と、認証部８３において、指紋読取部８１で読み取られた指紋データが、登録部８４に登録された指紋データと同一であると認識されたときに、カッターを駆動可能なＯＮ状態とする制御部９と、を備えている。【選択図】図３
2008229547.tif 000002
【特許請求の範囲】
【請求項１】
カッターと、
指紋を読み取る指紋読取部と、
指紋データを登録する登録部と、
前記指紋読取部で読み取られた指紋データを、前記登録部に登録された指紋データと比較する認証部と、
前記認証部において、前記指紋読取部で読み取られた指紋データが、前記登録部に登録された指紋データと同一であると認識されたときに、前記カッターを駆動可能なＯＮ状態とする制御部と、
を備えている、シュレッダー。
【請求項２】
前記制御部は、前記ＯＮ状態とされた後、所定時間、前記カッターの駆動が行われない場合には、前記ＯＮ状態を解除する、請求項１に記載のシュレッダー。
【発明の詳細な説明】
【技術分野】
【０００１】
本発明は、紙、プラスチックなどを破砕するシュレッダーに関する。
【背景技術】
【０００２】
近年、個人情報保護の観点から、シュレッダーは広く普及し、業務用のみならず、家庭においても広く普及している。そのようなシュレッダーとしては、例えば特許文献１に示すようなものがある。
【特許文献１】特開平１０−１１８５１３号公報
【発明の開示】
【発明が解決しようとする課題】
【０００３】
ところで、シュレッダーは、個人情報などの機密書類を廃棄する目的で用いられるため、その取り扱いは慎重になされるべきであり、許可された者のみの使用が望ましい。このように特定の者のみに使用を許可する方法としては、例えば、許可された者にのみシュレッダーを使用可能にする鍵を付与することが考えられる。しかしながら、鍵を紛失することも考えられ、かえって不便になることがある。また、鍵の貸し借りによって、許可された者以外の使用も可能になる。したがって、特定の者にのみシュレッダーの使用を許可するために、さらなる改善策が望まれていた。
【０００４】
本発明は、上記問題を解決するためになされたものであり、許可された者のみの使用を簡易に、且つ確実に行うことが可能なシュレッダーを提供することを目的とする。
【課題を解決するための手段】
【０００５】
本発明は、上記問題を解決するためになされたものであり、カッターと、指紋を読み取る指紋読取部と、指紋データを登録する登録部と、前記指紋読取部で読み取られた指紋データを、前記登録部に登録された指紋データと比較する認証部と、前記認証部において、前記指紋読取部で読み取られた指紋データが、前記登録部に登録された指紋データと同一であると認識されたときに、前記カッターを駆動可能なＯＮ状態とする制御部と、を備えている。
【０００６】
この構成によれば、指紋読取部で読み取られた指紋データが、登録部に記録されている指紋データと同一であると認識されたときに、カッターが駆動可能な状態となる。したがって、シュレッダーの使用を許可された者の指紋データを登録部に登録しておけば、それらの者のみがシュレッダーを使用することができる。以上より、本発明に係るシュレッダーでは、指紋認証を用いているため、鍵によって使用者を管理するのに比べ、簡易に、且つ確実に使用者を制限することができる。
【０００７】
なお、本発明でいう「ＯＮ状態」とは、種々の状態を挙げることができる。例えば、指紋データが一致したときに、カッターが駆動を開始するように構成することができる。或いは、シュレッダーの電源がＯＮになった状態とすることもでき、この場合は、シュレッダーの駆動スイッチを別途も受けておき、指紋データの同一が認められて電源がＯＮになった後、駆動スイッチによってカッターの駆動を開始することができる。また、登録部に登録される指紋データは、指紋読取部から読み取ることもできるし、予め指紋データが保存された記録媒体をシュレッダーに取り付けて登録部とすることもできる。
【０００８】
上記シュレッダーにおいては、ＯＮ状態とされた後、所定時間、前記カッターの駆動が行われない場合には、ＯＮ状態を解除するように、制御部を構成することが好ましい。こうすることで、例えば、ＯＮ状態になった後、長時間使用しない場合に、許可されていない者の使用を防止することができる。また、停止スイッチを別途設けておき、この停止スイッチを操作したときに、ＯＮ状態が解除されるように構成することもできる。
【発明の効果】
【０００９】
本発明に係るシュレッダーによれば、許可された者のみの使用を簡易に、且つ確実に行うことが可能となる。
【発明を実施するための最良の形態】
【００１０】
以下、本発明に係るシュレッダーの一実施形態について図面を参照しつつ説明する。図１は本実施形態に係るシュレッダーの斜視図、図２は図１のシュレッダーのスイッチ周辺を示した拡大斜視図である。
【００１１】
図１に示すように、本実施形態に係るシュレッダーは、紙等の被破砕物を破砕する本体部１と、本体部１で破砕された被破砕物の破砕片を収容する収容部３とで構成されている。収容部３は、上部に開口を有する箱状に形成されており、この開口を塞ぐように本体部１が設置されている。図２に示すように、本体部１の上面には、被破砕物を投入する投入口５が形成されるとともに、シュレッダーを稼働するための操作パネル７が配置されている。投入口５から投入された被破砕物は、本体部１の内部に配置されたカッターユニット（図示省略）により破砕され、収容部３に落下する。投入口５には、センサー（図示省略）が設けられており、後述するように、投入口５に被破砕物が投入されるとセンサーがこれを感知し、カッターユニットが駆動するようになっている。ここで用いられるカッターユニットは、外周面に刃が形成された一対の円筒型のカッターを平行に並べ、各カッターの刃が互いに噛み合うように回転するものである。また、本体部１には、使用者の指紋を認証してシュレッダーを使用可能にするための指紋認証装置が内蔵されている。
【００１２】
図２に示すように、操作パネル７は２つの操作ボタン、指紋読取部８１、及び電源ランプ８２を備えている。操作ボタンは、Ｒｅｖ, 及びＯｆｆの３つのボタン７２，７３からなる。Ｏｆｆボタン７３はカッターの駆動を停止する際に用いられ、Ｒｅｖボタン７２は被破砕物を投入方向とは逆方向に逆送りする際に用いられる。Ｒｅｖボタン７２を用いるのは、例えば被破砕物がカッター間に詰まったときに、カッターを逆回転させて詰まった被破砕物を投入口５から取り出す場合である。
【００１３】
指紋読取部８１は、上述した指紋認証装置の一部を構成するものであり、使用者の人差し指が当接されたときに、指紋を読み取るための公知のセンサーである。後述するように、指紋データが認証され、シュレッダーの使用が許可されると、シュレッダーがＯＮ状態になり、電源ランプ８２が点灯する。このＯＮ状態になると、上述した投入口のセンサーが作動状態となり、投入口５に紙を挿入すると、自動的にカッターが駆動するようになっている。
【００１４】
次に、本実施形態に係るシュレッダーの電気的構成について図３を参照しつつ説明する。図３は、このシュレッダーの電気的構成を示すブロック図である。上述したように、このシュレッダーは、指紋の認証を行う指紋認証装置８を内蔵しており、図３に示すように、この指紋認証装置８が、カッターの駆動を制御する制御部９に電気的に接続されている。そして、この制御部９は、後述するように、カッターの駆動を行うモータなどからなる駆動部１０、及び操作ボタン７２，７３と電池的に接続されている。また、上述した投入口のセンサーとも電気的に接続されている。
【００１５】
指紋認証装置８は、上述した指紋読取部８１と、指紋データの認識と比較を行う認証部８３と、指紋データを記録する登録部８４とから構成されている。より詳細に説明すると、認証部８３は、２つの機能を有し、指紋読取部８１で読み取られた指紋データを認識し、登録部８４に送信する役割と、指紋読取部８１で読み取られた指紋データと登録部８４に記録された複数の指紋データとを比較し、その結果を制御部９に送信する役割とを果たす。制御部９は、操作ボタン７２，７３、または指紋認証装置８からの信号に基づき、カッターの駆動を制御している。
【００１６】
次に、上記のように構成されたシュレッダーの操作方法について図４を参照しつつ説明する。図４は、操作方法のフローチャートである。上述したように、本実施形態に係るシュレッダーは、指紋データが登録された者のみが使用可能となっており、使用を許可された者は、指紋データの登録を予め行っておく必要がある。そこで、まず、指紋データの登録について説明する。最初に、指紋を登録する者は、操作ボタンの内、複数のボタン、例えば、Ｏｆｆボタン７３と、Ｒｅｖボタン７２とを同時に長押しする。この状態で、指紋読取部８１に右手の人差し指を当接すると、指紋読取部８１から読み込まれた指紋は、認証部８３によって指紋データとして認証され、登録部８４に記録される。このような作業をシュレッダーの使用を許可された人ごとに行う。
【００１７】
こうして、指紋データが登録された後は、次のようにシュレッダーを使用する。図４に示すように、まず、シュレッダーを使用する者が、指紋読取部８１に右手の人差し指を当接すると、指紋データが読み込まれ認証部８３に送信される（Ｓ１）。認証部８３では、読み込まれた指紋データと、登録部８４に記録された指紋データとを比較し（Ｓ２）、データが一致した場合には（Ｓ３のＹＥＳ）、制御部９に信号を送信する。これにより、制御部９は、シュレッダーの電源をＯＮにし、電源ランプを点灯させるとともに、投入口５のセンサーが作動状態になる（Ｓ４：ＯＮ状態）。この状態で、投入口５に紙などを投入すると、投入口５のセンサーがこれを感知する。これに基づいてセンサーが、制御部９に信号を送信すると、制御部９は、駆動部１０を介してカッターを回転させる（Ｓ５）。こうして、投入口５に投入された紙が破砕され、収容部３に破砕くずが落下していく。また、必要に応じてＲｅｖボタン７２を押すと、カッターが逆回転するとともに、Ｒｅｖボタン７２から指を離すと、カッターの回転が停止する。
【００１８】
そして、紙の破砕が終了し、Ｏｆｆボタン７３を押すと（Ｓ７）、シュレッダーの電源がＯｆｆになるとともにセンサーの作動が停止し（Ｓ８）、電源ランプが消灯する。これ以降は、投入口５に紙を投入したり、Ｒｅｖボタン７２を押してもカッターは駆動せず、再び指紋の認証を行わなければ、カッターを駆動させることはできない。また、Ｏｆｆボタンを押す以外にも、所定時間カッターを駆動させなかった場合には（Ｓ６のＹＥＳ）、自動的にシュレッダーの電源がＯｆｆになる（Ｓ８：ＯＮ状態の解除）。
【００１９】
なお、登録されていない指紋データが読み取られた場合には、次のように作動する。すなわち、認証部８３は、読み取られた指紋データが、登録された指紋データと一致しない場合には（Ｓ３のＮＯ）、制御部９に対して、信号を送信しないか、あるいは指紋データが一致しなかったことを示す信号を送信する。これにより、制御部９は駆動部１０を作動させないようになっており、許可されていない者のシュレッダーの使用が防止される。
【００２０】
以上のように、本実施形態によれば、指紋読取部８１で読み取られた指紋データが、登録部８４に記録されている指紋データと同一であると認識されたときに、カッターが駆動可能な状態となるため、シュレッダーの使用を許可された者の指紋データを登録部に記録しておけば、それらの者のみがシュレッダーを使用することができる。したがって、許可された者のみの使用を簡易に、且つ確実に行うことができる。
【００２１】
以上、本発明の一実施形態について説明したが、本発明は上記実施形態に限定されるものではなく、その趣旨を逸脱しない限りにおいて種々の変更が可能である。例えば、上記実施形態では、複数の操作ボタンを押しながら、指紋データの登録を行っていたが、これに限定されるものではなく、種々の操作方法によって指紋データの登録を行うことができる。或いは、予め指紋データが登録されたフラッシュメモリ等の記録媒体をシュレッダーに取り付けることで、登録を行うことができる。この場合、記録媒体が登録部８４となる。
【００２２】
また、上記説明では、指紋データの認証が行われたときに、シュレッダーの電源がＯｎになり、本発明のＯＮ状態になっているが、ここでいうＯＮ状態とは、一旦指紋の認証を行えば、電源がＯｆｆにならない以上、さらなる指紋の認証を行うことなく、センサーの感知やボタン操作によりカッターが駆動するような状態をいう。但し、本発明のＯＮ状態は、カッターが駆動可能な状態となればよいため、例えば、指紋が認証されたときに、直接カッターが駆動を始めるように構成することもできる。
【００２３】
もしくは、操作ボタンを追加してもよい。例えば、「Ｏｎボタン」を設け、ＯＮ状態になったとき、このＯｎボタンを押すことで、カッターが駆動を開始するように構成することもできる。この場合も、Ｏｆｆボタンを押さないかぎり、あるいは所定時間カッターが駆動されない限りは、Ｏｎボタンの操作が有効となるように構成することができる。
【図面の簡単な説明】
【００２４】
【図１】本発明の一実施形態に係るシュレッダーの斜視図である。
【図２】図１のシュレッダーの操作パネルを示した拡大図である。
【図３】図１のシュレッダーの電気的構成を示すブロック図である。
【図４】図１のシュレッダーの操作を示すフローチャートである。
【符号の説明】
【００２５】
８１  指紋読取部
８３  認証部
８４  登録部
９    制御部
【図１】
2008229547.tif 000003
【図２】
2008229547.tif 000004
【図３】
2008229547.tif 000005
【図４】
2008229547.tif 000006